【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】観察に供される情報を表示する表示部と、
機器本体に収納された第１の状態と全開された第２の状態との間で前記表示部の一端面側を軸中心として、該表示部を開閉自在に支持するヒンジ部と、
前記機器本体と前記ヒンジ部のうちの一方に固定される磁気検出素子と、
前記磁気検出素子の検出面に対向した同一面上にＳ極とＮ極が位置するように、前記機器本体と前記ヒンジ部のうちの他方に固定される磁石とを有する電子機器であって、
前記磁気検出素子は、前記表示部が前記第１の状態と前記第２の状態の途中のあらかじめ設定された回転角度未満までの開閉状態では、前記磁石のＳ極とＮ極のうちの一方に対向し、前記あらかじめ設定された回転角度以上、前記第２の状態の間では、前記磁石のＳ極とＮ極のうちの他方に対向し、Ｓ極に対向する場合とＮ極に対向する場合とで、その出力が変化することを特徴とする電子機器。
【請求項２】前記磁気検出素子の出力に基づいて、前記表示部の表示状態を制御する表示制御手段を有することを特徴とする請求項１に記載の電子機器。
【請求項３】前記磁気検出素子は、前記表示部が前記第１の状態と前記第２の状態の途中のあらかじめ設定された回転角度未満までの開閉状態にあるときに、前記磁石のＳ極とＮ極のうちの一方に対向している際は、第１の信号を出力し、前記表示部が前記あらかじめ設定された回転角度以上、前記全開状態の間にあるときに、前記磁石のＳ極とＮ極のうちの他方に対向している際は、第２の信号を出力するものであり、
前記表示制御手段は、前記磁気検出素子の出力が前記第１の信号であるときには、前記表示部を非表示の状態とし、前記磁気検出素子の出力が前記第２の信号に変化することにより、前記表示部を表示状態にすることを特徴とする請求項２に記載の電子機器。
【請求項４】観察に供される情報を表示する表示部と、
機器本体に収納された第１の状態と全開された第２の状態との間で前記表示部の前記一端面側を軸中心として、該表示部を開閉自在に支持する第１の軸部を有すると共に、前記表示部の第２の状態で該表示部を前記第１の軸部と直交する方向を軸中心として、該表示部を回転自在に支持する第２の軸部を有するヒンジ部と、
前記機器本体と前記ヒンジ部のうちの一方に固定される第１の磁気検出素子と、
前記第１の磁気検出素子の検出面と直交する検出面を有し、前記表示部と前記ヒンジ部のうちの一方の一端面側に固定される第２の磁気検出素子と、
前記第１の磁気検出素子の検出面に対向した同一面上にＳ極とＮ極が位置するように、前記機器本体と前記ヒンジ部のうちの他方に固定される第１の磁石と、
前記第２の磁気検出素子の検出面に対向した同一面上にＳ極とＮ極が位置するように、前記表示部と前記ヒンジ部のうちの他方に固定される第２の磁石とを有する電子機器であって、
前記第１の磁気検出素子は、前記表示部が前記第１の状態と前記第２の状態の途中のあらかじめ設定された回転角度未満までの開閉状態では、前記第１の磁石のＳ極とＮ極のうちの一方に対向し、前記あらかじめ設定された回転角度以上、前記第２の状態の間では、前記第１の磁石のＳ極とＮ極のうちの他方に対向し、Ｓ極に対向する場合とＮ極に対向する場合とで、その出力が変化するものであり、
前記第２の磁気検出素子は、前記表示部が前記第２の状態から前記第２の軸部を中心として１８０度回転された第３の状態までの間の９０度未満の回転角度の回転状態では、前記第２の磁石のＳ極とＮ極のうちの一方に対向し、前記９０度から１８０度回転された前記第３の状態までの間では、前記第２の磁石のＳ極とＮ極のうちの他方に対向し、Ｓ極に対向する場合とＮ極に対向する場合とで、その出力が変化するものであることを特徴とする電子機器。
【請求項５】前記第１の磁気検出素子の出力と前記第２の磁気検出素子の出力に基づいて、前記可動の表示部の表示状態を制御する表示制御手段を有することを特徴とする請求項４に記載の電子機器。
【請求項６】機器本体に固定された固定表示部を有し、前記表示制御手段は、前記第１の磁気検出素子の出力と前記第２の磁気検出素子の出力に基づいて、前記可動の表示部と前記固定表示部の表示状態を制御することを特徴とする請求項５に記載の電子機器。
【請求項７】前記第１の磁気検出素子は、前記可動の表示部が前記第１の状態から第２の状態の途中のあらかじめ設定された回転角度未満までの開閉状態にあるときに、前記第１の磁石のＳ極とＮ極のうちの一方に対向している際は、第１の信号を出力し、前記可動の表示部が前記あらかじめ設定された回転角度以上、前記第２の状態の間にあるときに、前記第１の磁石のＳ極とＮ極のうちの他方に対向している際は、第２の信号を出力するものであり、
前記第２の磁気検出素子は、前記可動の表示部が前記第２の状態から１８０度回転された第３の状態までの間の９０度未満の回転角度の回転状態にあるときに、前記第２の磁石のＳ極とＮ極のうちの一方に対向している際は、第１の信号を出力し、前記可動の表示部が前記９０度から１８０度回転された前記第３の状態までの回転状態にあるときに、前記第２の磁石のＳ極とＮ極のうちの他方に対向している際は、第２の信号を出力するものであり、
前記表示制御手段は、前記第１の磁気検出素子の出力が前記第１の信号であり、前記第２の磁気検出素子の出力も前記第１の信号であるときには、前記固定の表示部のみを表示状態とし、
前記第１の磁気検出素子の出力が前記第２の信号であり、前記第２の磁気検出素子の出力が前記第１の信号であるときには、前記可動の表示部のみを表示状態とし、
前記第１の磁気検出素子の出力が前記第２の信号であり、前記第２の磁気検出素子の出力も前記第２の信号であるときには、前記可動の表示部のみを表示状態とすると共に情報表示を上下反転及び左右反転させ、
前記第１の磁気検出素子の出力が前記第１の信号であり、前記第２の磁気検出素子の出力が前記第２の信号であるときには、前記可動の表示部を表示状態にすると共に表示情報を上下反転させ、かつ、前記固定の表示部も同時に表示状態とすることを特徴とする請求項６に記載の電子機器。
【手続補正２】
【補正対象書類名】明細書
【補正対象項目名】００１５
【補正方法】変更
【補正の内容】
【００１５】
【課題を解決するための手段】上記目的を達成するために、本発明は、観察に供される情報を表示する表示部と、機器本体に収納された第１の状態と全開された第２の状態との間で前記表示部の一端面側を軸中心として、該表示部を開閉自在に支持するヒンジ部と、前記機器本体と前記ヒンジ部のうちの一方に固定される磁気検出素子と、前記磁気検出素子の検出面に対向した同一面上にＳ極とＮ極が位置するように、前記機器本体と前記ヒンジ部のうちの他方に固定される磁石とを有する電子機器であって、前記磁気検出素子が、前記表示部が前記第１の状態と前記第２の状態の途中のあらかじめ設定された回転角度未満までの開閉状態では、前記磁石のＳ極とＮ極のうちの一方に対向し、前記あらかじめ設定された回転角度以上、前記第２の状態の間では、前記磁石のＳ極とＮ極のうちの他方に対向し、Ｓ極に対向する場合とＮ極に対向する場合とで、その出力が変化するようにした電子機器とするものである。
また、上記目的を達成するために、本発明は、観察に供される情報を表示する表示部と、機器本体に収納された第１の状態と全開された第２の状態との間で前記表示部の前記一端面側を軸中心として、該表示部を開閉自在に支持する第１の軸部を有すると共に、前記表示部の第２の状態で該表示部を前記第１の軸部と直交する方向を軸中心として、該表示部を回転自在に支持する第２の軸部を有するヒンジ部と、前記機器本体と前記ヒンジ部のうちの一方に固定される第１の磁気検出素子と、前記第１の磁気検出素子の検出面と直交する検出面を有し、前記表示部と前記ヒンジ部のうちの一方の一端面側に固定される第２の磁気検出素子と、前記第１の磁気検出素子の検出面に対向した同一面上にＳ極とＮ極が位置するように、前記機器本体と前記ヒンジ部のうちの他方に固定される第１の磁石と、前記第２の磁気検出素子の検出面に対向した同一面上にＳ極とＮ極が位置するように、前記表示部と前記ヒンジ部のうちの他方に固定される第２の磁石とを有する電子機器であって、前記第１の磁気検出素子は、前記表示部が前記第１の状態と前記第２の状態の途中のあらかじめ設定された回転角度未満までの開閉状態では、前記第１の磁石のＳ極とＮ極のうちの一方に対向し、前記あらかじめ設定された回転角度以上、前記第２の状態の間では、前記第１の磁石のＳ極とＮ極のうちの他方に対向し、Ｓ極に対向する場合とＮ極に対向する場合とで、その出力が変化するものであり、前記第２の磁気検出素子は、前記表示部が前記第２の状態から前記第２の軸部を中心として１８０度回転された第３の状態までの間の９０度未満の回転角度の回転状態では、前記第２の磁石のＳ極とＮ極のうちの一方に対向し、前記９０度から１８０度回転された前記第３の状態までの間では、前記第２の磁石のＳ極とＮ極のうちの他方に対向し、Ｓ極に対向する場合とＮ極に対向する場合とで、その出力が変化するようにした電子機器とするものである。
【手続補正３】
【補正対象書類名】明細書
【補正対象項目名】００１９
【補正方法】変更
【補正の内容】
【００１９】
１０６は大型液晶表示部であり、液晶駆動回路１０６ａ、大型液晶パネル１０６ｂ及び該大型液晶パネル１０６ｂの背面から光を照射するためのバックライトユニット１０６ｃによって構成される。前記液晶駆動回路１０６ａは、前記表示信号生成部１０４によって生成された信号に基づく撮像素子１０２によって撮像された画像を大型液晶パネル１０６ｂに表示させる。また、液晶表示部としては更に、覗くタイプの小型液晶表示部１０７も具備されており、前記大型液晶表示部１０６と同様に、液晶駆動回路１０７ａ、小型液晶パネル１０７ｂ及びバックライト１０７ｃによって構成される。
【手続補正４】
【補正対象書類名】明細書
【補正対象項目名】００２１
【補正方法】変更
【補正の内容】
【００２１】
また、前記システムコントローラ１０８ｂは各部の動作の制御を行っており、ＡＥ，ＡＷＢ，ＡＦ処理は、全て撮像面のデータを用いてシステムの制御を行う。これらの処理はカメラ信号処理部１０３がデータを供給してやり、メインＣＰＵが演算処理を行い、不図示の、絞り駆動回路、レンズ駆動回路、ＣＣＤ駆動回路及びカメラ信号の色処理回路を制御する。又システムコントローラ１０８ｂは、不図示の操作部の各種スイッチ（電源スイッチ、レリーズスイッチ、再生スイッチ等）の操作状態に応じて各部を制御し、必要な情報を表示部１０６，１０７に表示する。更にシステムコントローラ１０８ｂは、操作部からのスイッチ操作に基づいて各回路を制御するもので、前記撮像素子１０２の駆動制御や露出値、フォーカス、ホワイトバランスなどの制御も行う。
【手続補正５】
【補正対象書類名】明細書
【補正対象項目名】００２５
【補正方法】変更
【補正の内容】
【００２５】
図２は大型液晶表示部が閉じられた収納状態時のホール素子と磁石を示す図であり、同図において、２０１は大型液晶表示部、２０２は大型液晶表示部２０１の開閉の為の回転中心となる回転軸、２０３は対面撮影時の際に大型液晶表示部を回転させる為の回転中心となる回転軸である。２０４はヒンジベースであり、前記回転軸２０２，２０３に対してそれぞれ回転する構造となっている。２０５は前記ヒンジベース２０４を保護するためのヒンジカバーである。２０６，２０７は環状の磁石であり、共にヒンジベース２０４に固定されている。詳しくは、磁石２０６は、該磁石２０６のＳ極とＮ極が共にビデオカメラ本体に固定された後述のホール素子２０８と対向するように同一面に着磁されており、かつ、大型液晶表示部２０１が収納状態から４５度未満の開閉状態ではＮ極上にホール素子２０８が位置し、４５度以上、９０度までの開閉状態ではＳ極上にホール素子２０８が位置するように、前記ヒンジベース２０４に固定されている。そして、環状の磁石２０６の中心は回転軸２０２と同一軸上であり、ヒンジベース２０４が回転することにより一緒に回転する。また、磁石２０７は、該磁石２０７のＳ極とＮ極が共に大型液晶表示部に固定された後述のホール素子２０９と対向するように同一面に着磁されており、かつ、大型液晶表示部２０１が９０度に開かれた状態からのさらなる回転状態が９０度未満ではＮ極上にホール素子２０９が位置し、９０度以上、１８０度までの回転された状態ではＳ極上にホール素子２０９が位置するように、前記ヒンジベース２０４に固定されている。そして、環状の磁石２０７の中心は回転軸２０３と同一軸上である。